(57)【要約】【課題】配置場所の選択の自由度を高めることができる棚板スピーカシステムを提供する。【解決手段】棚板スピーカシステム１００，２００，３００は、上面に任意の物を載置可能であって、外部に向けた開放された１又は２以上の収容部１２０Ａ，１２０Ｂが内部に形成された棚板本体部１１０と、収容部１２０Ａ，１２０Ｂに配置されるスピーカユニット１３０と、スピーカユニット１３０の周囲に配置され、スピーカユニット１３０からの振動が棚板本体部１１０へ伝達することを防止する振動防止手段１３３，１３４と、を備える。【選択図】図１
2008263558.tif 000002
【特許請求の範囲】
【請求項１】
上面に任意の物を載置可能であって、外部に向けて開放された１又は２以上の収容部が内部に形成された棚板本体部と、
前記収容部に配置されるスピーカユニットと、
前記スピーカユニットの周囲に配置され、前記スピーカユニットからの振動が前記棚板本体部へ伝達することを防止する振動防止手段と、
を備えることを特徴とする、棚板スピーカシステム。
【請求項２】
前記棚板本体部の内部に配置され、前記棚板本体部の強度を補強する補強部材を更に備えることを特徴とする、請求項１に記載の棚板スピーカシステム。
【請求項３】
前記棚板本体部は、
第１凹部が側端部に形成された第１板材と、
第２凹部が側端部に形成され、前記第１板材と接合される第２板材と、
を有し、
前記収容部は、前記第１板材の前記第１凹部と前記第２板材の前記第２凹部とが結合して形成されることを特徴とする、請求項１に記載の棚板スピーカシステム。
【請求項４】
前記振動防止手段は、前記スピーカユニットの振動を吸収する振動吸収材であることを特徴とする、請求項１に記載の棚板スピーカシステム。
【請求項５】
前記振動防止手段は、前記スピーカユニットを支持しつつ、前記棚板本体部に対する接触面積を少なくすることにより、前記スピーカユニットの振動の伝達を防止する支持部材であることを特徴とする、請求項１に記載の棚板スピーカシステム。
【請求項６】
前記収容部に配置されたウーハを更に備えることを特徴とする、請求項１に記載の棚板スピーカシステム。
【請求項７】
前記収容部に配置されたアンプを更に備えることを特徴とする、請求項１に記載の棚板スピーカシステム。
【請求項８】
前記アンプは、無線で音声信号を受信する無線通信機能を備えることを特徴とする、請求項７に記載の棚板スピーカシステム。
【発明の詳細な説明】
【技術分野】
【０００１】
本発明は、棚板スピーカシステムに関する。
【背景技術】
【０００２】
近年、様々なデジタルオーディオ機器が開発され、音声を楽しむ場が広がっている。例えば、オーディオ機器はもとより、ＴＶにおいてもホームシアターやハイビジョン等の普及に伴い、高画像、高音質を追求すべく別途のスピーカーセットがあり、パーソナルコンピュータ等でも音声を楽しむために別途のスピーカーを設置する必要がある。
【０００３】
しかし、このようなデジタルオーディオ機器等を配置する屋内のスペースは限られる。従って、機器毎にスピーカーを設置することは困難な状況にあり、更に、限られたスペースの中でのスピーカの配置は、屋内全体の雰囲気をも左右してしまう。
【０００４】
そこで、配置場所を有効活用し、また、柔軟に屋内のレイアウトを変更可能にするために、ユーザの嗜好にあわせて配置することができる、いわゆるレイアウトフリーなスピーカシステムの開発が望まれている。
【０００５】
このようなスピーカシステムとして、特許文献１には、建具としての収納装置に内蔵されたスピーカシステムが開示され、特許文献２には、大型テレビのラックに内蔵されたスピーカシステムが開示されている。
【０００６】
【特許文献１】実開昭６０−１８５９３５号公報
【特許文献２】特開２００６−２１１７８２４号公報
【発明の開示】
【発明が解決しようとする課題】
【０００７】
しかし、上記特許文献１に開示されたスピーカシステムによれば、スピーカが建具に内蔵されているため、スピーカを移動させることはできず、また、スピーカの音が届く範囲を逸脱すれば、もはや音声を楽しむことはできない。よって、音声を楽しむ位置を変更するというユーザのレイアウトフリーな要求に応えることはできないという問題があった。
【０００８】
そして、上記特許文献２に開示されたスピーカシステムによれば、テレビラックと一体に形成されるので、テレビの配置位置とスピーカの配置位置とを常に一緒にしなければならず、やはりユーザのレイアウトフリーな要求に応えるには至っていない。
【０００９】
また、ユーザのレイアウトフリーな要求によれば、テレビラック上には、テレビのみが載せられるわけではなく、テレビや他のＡＶ機器のリモートコントローラや置物等、ユーザの好みや習慣等によって様々なものを載せることが要求される。しかし、上記特許文献２に開示されたスピーカシステムによれば、テレビラックがエンクロジャーとして機能するため、テレビラックにスピーカの振動が伝わり、ラック上に置かれたものが振動して異音を発し、音質を損ねてしまうという問題をも招いていた。
【００１０】
そこで、本発明は、上記問題に鑑みてなされたものであり、本発明の目的とするところは、配置場所の選択の自由度を高めることが可能な、新規かつ改良された棚板スピーカシステムを提供することにある。
【課題を解決するための手段】
【００１１】
上記課題を解決するために、本発明のある観点によれば、上面に任意の物を載置可能であって、外部に向けて開放された１又は２以上の収容部が内部に形成された棚板本体部と、収容部に配置されるスピーカユニットと、スピーカユニットの周囲に配置され、スピーカユニットからの振動が棚板本体部へ伝達することを防止する振動防止手段と、を備えることを特徴とする、棚板スピーカシステムが提供される。
【００１２】
かかる構成によれば、スピーカユニットは、棚板本体部の内部に形成された収容部に配置され、棚板本体部には、上面に任意の物を載置することができる。よって、棚板スピーカシステムを棚板として使用することができる。また、収容部が、外部に向けて開放されているので、スピーカユニットからの音は、外部に伝達され、音質を損なうことなく、棚板スピーカユニットをスピーカとして使用することができる。更に、振動防止手段により、スピーカユニットの振動が棚板本体部に伝達するのを防ぐことができるので、棚板スピーカシステム上に物を載置しても、スピーカユニットの振動によって異音が発生することを防止することができる。
【００１３】
また、棚板本体部の内部に配置され、棚板本体部の強度を補強する補強部材を更に備えてもよい。かかる構成によれば、補強部材によって棚板本体部の強度を補強することができるため、棚板本体部の耐荷重性能を向上させることができ、棚板本体部のみの場合よりも重い物を載置することができる。
【００１４】
また、棚板本体部は、第１凹部が側端部に形成された第１板材と、第２凹部が側端部に形成され、第１板材と接合される第２板材と、を有し、収容部は、第１板材の第１凹部と第２板材の第２凹部とが結合して形成されてもよい。かかる構成によれば、第１板材と第２板材とを接合することにより、棚板本体部を形成することができ、第１板材の第１凹部と第２板材の第２凹部とを結合することで収容部を形成することができる。よって、棚板本体部を容易に形成することができる。
【００１５】
また、振動防止手段は、スピーカユニットの振動を吸収する振動吸収材であってもよい。かかる構成によれば、振動吸収材によりスピーカユニットの振動を吸収することができる。よって、スピーカユニットからの振動が棚板本体部に伝達することを防ぐことができる。
【００１６】
また、振動防止手段は、スピーカユニットを支持しつつ、棚板本体部に対する接触面積を少なくすることにより、スピーカユニットの振動の伝達を防止する支持部材であってもよい。かかる構成によれば、支持部材によって、スピーカユニットの質量を少ない接触面積で棚板本体部に伝達するため、スピーカユニットの振動の伝達を防止することができる。
【００１７】
また、収容部に配置されたウーハを更に備えてもよい。かかる構成よれば、収容部に配置されたウーハにより、音質を更に高めることができる。
【００１８】
また、収容部に配置されたアンプを更に備えてもよい。かかる構成によれば、アンプを内蔵することができるため、音質を更に高めることができ、別途のアンプを配置するスペースを節約することができる。
【００１９】
また、アンプは、無線で音声信号を受信する無線通信機能を備えてもよい。係る構成によれば、アンプの無線通信機能により、棚板スピーカシステムの外部に位置する無線通信機能を備えたオーディオ機器等と、無線通信を行うことができるため、有線接続による煩雑な配線をなくすことができる。
【発明の効果】
【００２０】
以上説明したように本発明によれば、配置場所の選択の自由度を高めることができる。
【発明を実施するための最良の形態】
【００２１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２２】
（従来のスピーカシステム）
本願の各実施形態について説明する前に、従来のスピーカシステムについて説明する。
上記特許文献１に記載されたスピーカシステムは、建具としての収納装置にスピーカを内蔵することで形成される。このスピーカシステムによれば、スピーカのそばでは音楽等を楽しむことができるが、スピーカが建具に内蔵されているため、ユーザの望む位置にスピーカを配置することはできない。仮に配置の段階でユーザの望む位置にスピーカを配置したとしても、ユーザの嗜好が変化して他の位置にスピーカを配置したい場合に移動させることは困難であり、ユーザのレイアウトフリーな要求に応えることはできない。更に、スピーカの音の届く範囲は限られ、その範囲から逸脱すればもはや音楽等を楽しむことはできない。従って、移動することができないスピーカの配置場所にユーザが拘束されるという結果を招いており、このような弊害もユーザのレイアウトフリーな要求の実現を妨げる要因となっている。
【００２３】
また、上記特許文献２に記載されたスピーカシステムは、大型テレビのラックにスピーカを内蔵して形成されるが、大型のスピーカシステムがホームシアター等を楽しむユーザの視界に入る可能性があるため、映像の臨場感を損ねるという問題をも招いている。
【００２４】
尚、一般的にテレビラックは、テレビのみを載せるわけではなく、例えば、テレビや他のＡＶ機器のリモートコントローラ、ビデオやＤＶＤ等の記憶媒体、置物等、ユーザの好みや習慣等によって様々なものを載せる可能性がある。このようにラック上に様々な物を置くことも、例えば屋内等の配置場所内全体のレイアウトフリーにつながり、ユーザの要求するところである。しかし、上記特許文献２に開示されたスピーカシステムは、ラック自体がスピーカのエンクロジャーとして機能するため、ラックにはスピーカの振動が伝わり、ラック上に置かれたもの等が振動して異音を発し、音質を損ねてしまうという問題をも招いている。
【００２５】
このように、高画質、高音質を望むユーザの要求は、スピーカの配置をレイアウトフリーにすることはもちろんのこと、屋内等の全体のコーディネイトをする上でのレイアウトフリーにまでおよび、屋内等の雰囲気を害する可能性のあるスピーカ、固定されたスピーカ、物を上に載せると音質が低下するようなスピーカ等は、ユーザの要求を満たすことはできないという問題がある。
【００２６】
そこで、本願発明者は、上記のような従来のスピーカシステムの問題点及びユーザのレイアウトフリーな要求等について鋭意研究した結果、本願発明に想到した。以下、本願発明の各実施形態について説明する。
【００２７】
（第１の実施形態）
まず、図１〜図９を参照して、本発明の第１実施形態に係る棚板スピーカシステムについて説明する。図１は、本発明の第１実施形態に係る棚板スピーカシステム１００の概要を説明する説明図である。
【００２８】
（概要）
図１に示すように、棚板スピーカシステム１００は、例えば、棚１０の一つの棚板として配置可能である。棚１０は、棚板スピーカシステム１００と通常の棚板１１とを、複数の柱１２で支持して形成される。また、棚板スピーカシステム１００は、他の棚板１１と同様の外形で形成されるため、ユーザは棚板スピーカシステム１００を認識し難い位置に配置することができ（即ち、棚板として全体の雰囲気に溶け込ませることができ）、また、他の棚板１１と配置位置を交換することにより棚１０のどの位置にも配置することが可能である。
【００２９】
そして、棚板スピーカシステム１００上には、他の棚板１１と同様に、ユーザの嗜好にあわせて様々な物を載置することができる。例えば、図１に示すように、棚板スピーカシステム１００上には、写真立て１３、カメラ１４、車おもちゃ１５、花瓶１６等のテレビ等よりも軽く振動によって揺れやすい物をも載置することができる。以下で説明するように、棚板スピーカシステム１００によれば、スピーカの振動が上面に載置された物に伝わるのを防止することが可能なため、テレビ等より軽く振動によって揺れやすい物をも載置可能となっている。
【００３０】
尚、以下では、棚板スピーカシステム１００の面のうち、上部（ｚ軸正の方向）に形成された面を上面といい、下部（ｚ軸正の方向）に形成された面を下面という。そして、棚板の端部に形成された面の一つであり、他の面に比べて比較的ユーザの視界に入りやすい面を、前面といい、それに対向する面を背面という。更に、棚板の端部に形成された面の一つであり、前面と背面との間の２つの面を側面という。
【００３１】
（全体構成）
次に、図２を参照して、棚板スピーカシステム１００の構造について説明する。
図２は、本実施形態に係る棚板スピーカシステム１００の構造を説明する説明図である。図２の（ａ）は、棚板スピーカシステム１００の正面から見た（ｙ軸方向から見た）正面図であり、（ｂ）は、（ａ）のＡ−Ａ線での断面図であり、（ｃ）は、棚板スピーカシステム１００を側面から見た（ｘ軸方向から見た）側面図である。
【００３２】
棚板スピーカシステム１００は、他の棚板１１と同様に略長方形の上面を有し、前面にはネットグリル１５０（スピーカのコーン部を覆うネット状の保護部材）が配置されている。従って、（ａ）に示すように、正面から見た場合、他の棚板１１と同様の厚みのネットグリル１５０しか視認されず、（ｃ）に示すように、側面から見た場合も、他の棚板１１と同様の外形を有し、ネットグリル１５０と棚板本体部１１０の側面としか視認されない。従って、棚板スピーカシステム１００によれば、ネットグリル１５０の色を他の棚板１１等と調和させることにより、屋内の雰囲気に溶け込ませて、スピーカシステムを配置することを可能にしている。
【００３３】
棚板スピーカシステム１００の外形は、例えば、他の棚板１１と同様に形成されることが好ましい。例えば、棚板スピーカシステム１００の厚み（ｚ軸方向の長さ）は、約４〜６ｃｍ程度であり、幅（ｘ軸方向の長さ）は、約１５０ｃｍ〜２００ｃｍ程度であり、奥行きは、約３０ｃｍ〜１００ｃｍ程度である。しかし、本発明はかかる例に限定されるものではなく、寸法は棚板スピーカシステム１００の用途等によって適宜変更可能である。
【００３４】
図２の（ｂ）に示すように、棚板スピーカシステム１００は、棚板本体部１１０と、棚板本体部１１０の前面に形成された収容部１２０Ａと、収容部１２０Ａ内に配置されたスピーカユニット１３０と、棚板本体部１１０の中心部に形成された配線スペース１４０と、配線スペース１４０に配置されスピーカユニット１３０に接続された配線１６１と、配線１６１に接続されて棚板本体部１１０の背面及び側面に配置されたコネクタ１６２と、棚板本体部１１０の前面に配置されスピーカユニット１３０等の保護をするとともに、その視認を防止するネットグリル１５０と、を有する。
【００３５】
また、図２の（ｂ）のＢ−Ｂ線による棚板スピーカシステム１００の断面構造を図３に示す。図３は、本実施形態に係る棚板スピーカシステム１００の構造を説明する断面図である。
【００３６】
図３に示すように、棚板本体部１１０は、棚板の上面を形成する天板１１０Ａと、棚板の中心構造を形成する中板１１０Ｂと、棚板の下面を形成する底板１１０Ｃと、を有する。そして、図２に示すように、収容部１２０Ａに配置されたスピーカユニット１３０と、収容部１２０Ａを形成している棚板本体部１１０との間には、振動防止手段が配置される。
【００３７】
（細部構成）
次に、このような構成を有する棚板スピーカシステム１００の各構成について、適宜図２〜４等を参照して説明する。図４は、棚板スピーカシステム１００が有するスピーカユニット１３０の一例を説明する説明図である。
【００３８】
棚板本体部１１０は、棚板スピーカシステム１００の全体の形状を形成し、ネットグリル１５０以外の構成を内部に収容する。そのために、収容部１２０Ａ、配線スペース１４０等の所定の空間が、棚板本体部１１０の内部に形成される。そして、棚板本体部１１０上には、様々な物が載置される。
【００３９】
この棚板本体部１１０は、上述の通り、天板１１０Ａと、中板１１０Ｂと、底板１１０Ｃと、を含む。天板１１０Ａは、棚板スピーカシステム１００の上面を形成して、底板１１０Ｃは、天板１１０Ａの下方に略平行に対向配置され、棚板スピーカシステム１００の下面を形成する。この天板１１０Ａの上方の表面は、ほぼ平らに形成されることが好ましい。このようにほぼ平らに形成することにより、物を載置しやすくすることができる。中板１１０Ｂは、天板１１０Ａと底板１１０Ｃとの間に配置され、上記の収容部１２０Ａ、配線スペース１４０等の所定の空間を形成するために、図２の（ｂ）のような略四角形の枠状に形成され、前面には、凹部が形成される。そして、天板１１０Ａと、中板１１０Ｂと、底板１１０Ｃとを結合することにより、棚板本体部１１０が形成される。
【００４０】
また、棚板本体部１１０の材質は、例えば、木材、金属、石材（例えば、大理石）、プラスチック等、加工が可能な材質であればよい。また、天板１１０Ａと中板１１０Ｂと底板１１０Ｃとはそれぞれ別々の材質で形成されてもよい。また、棚板本体部１１０の材質は、積載可能な質量によって適宜変更してもよい。強度が低い材質で構成する場合は、天板１１０Ａ、中板１１０Ｂ、底板１１０Ｃそれぞれの厚み（ｚ軸方向の厚み）や、中板１１０Ｂの所定の空間の大きさ等を変更することにより、強度を調整することができる。尚、図１は、棚板本体部１１０が、例えば、大理石等の十分な強度を有する材質で形成された場合を示している。
【００４１】
収容部１２０Ａは、棚板本体部１１０の前面に形成され、スピーカユニット１３０を収容する。この際、収容部１２０Ａは、５方向を棚板本体部１１０に覆われ、ｙ軸負の方向（前面の方向）に開放されており、ネットグリル１５０を介して外部と連通している。換言すれば、収容部１２０Ａは、図３に示すように、後方（ｙ軸正の方向）を中板１１０Ｂに覆われ、上下方向（ｚ軸正負の方向）をそれぞれ天板１１０Ａ、底板１１０Ｃに覆われる。そして、図２の（ｂ）に示すように、左右方向（ｘ軸正負の方向）を中板１１０Ｂに覆われる。従って、収容したスピーカユニット１３０の音を前面方向に伝達することができる。
【００４２】
また、収容部１２０Ａは、例えば、図２の（ｂ）に示すように、棚板本体部１１０の前面において、左右方向（側面方向、ｘ軸方向）に２つ形成されてもよく、３つ以上形成されてもよい。このように複数の収容部１２０Ａを形成して、複数のスピーカユニット１３０を有することにより、音質及び音の臨場感を更に高めることができる。更に、収容部１２０Ａを複数に分割すると、中板１１０Ｂが天板１１０Ａを支持する面積が大きくなるので、載置される物に対する耐荷重性を高めることができる。しかし、本発明は、かかる例に限定されず、例えば、１つ収容部１２０Ａが形成されてもよい。
【００４３】
スピーカユニット１３０は、収容部１２０Ａの内部に配置される。換言すれば、スピーカユニット１３０は、棚板スピーカシステム１００の前面方向（ｙ軸負の方向）に配置される。このように、スピーカを前面に配置することによいり、スピーカユニット１３０からの音を直接外部に発することができるため、音質を高めることができる。そして、開放された方向以外を棚板本体部１１０に覆われた収容部に配置することにより、スピーカユニット１３０からの音の指向性を高めることができる。スピーカユニット１３０の一例を図４を参照して説明する。図４の（ａ）は、スピーカユニット１３０の上面を示し、（ｂ）は、スピーカユニット１３０の前面を示し、（ｃ）は、スピーカユニット１３０の側面を示す。
【００４４】
図４の（ｂ）に示すように、スピーカユニット１３０は、左右方向（ｘ軸方向）に配列された２つのスピーカ１３１（例えば、中音領域用スピーカ）と、スピーカ１３１の間に配置されたツイータ１３２（例えば、高音領域用スピーカ）とを備え、高さ（ｚ軸方向の高さ）は、約４ｃｍ〜５ｃｍ程度である。尚、このスピーカユニット１３０の大きさによって他の部材、特に収容部１２０Ａの寸法等が決定されてもよい。
【００４５】
再び、図３を参照する。
振動防止手段は、収容部１２０Ａの内部においてスピーカユニット１３０と棚板本体部１１０との間に配置される。この振動防止手段は、本実施形態の特徴的な部分の一つであるため、詳しく後述する。
【００４６】
配線スペース１４０は、棚板本体部１１０の中心部に形成され、スピーカユニット１３０からの配線１６１等を収容する。換言すれば、配線スペース１４０は、その上下方向（ｚ軸正負の方向）をそれぞれ天板１１０Ａ、底板１１０Ｃを覆われ、左右及び前後方向（ｘ軸、ｙ軸の方向）の４方を中板１１０Ｂに覆われる。そして、配線スペース１４０は、スピーカユニット１３０からの配線１６１を導入するために、収容部１２０Ａと所定の孔等を介して連通している。
【００４７】
この配線スペース１４０は、全体の重量を軽減するために、可能な限り大きく形成されることが好ましい。また、配線スペース１４０と収容部１２０Ａとは、別々に形成され、両者の間には中板１１０Ｂの一部が位置する。このように両者を別々に形成することにより、棚板スピーカシステム１００の耐荷重性を高めることができる。しかし、本発明は、かかる例に限定されず、収容部１２０Ａと配線スペース１４０とが一体で形成されてもよい。
【００４８】
配線１６１は、スピーカユニット１３０への入力信号を伝達する配線であって、所定の孔等を介して連通した収容部１２０Ａと配線スペース１４０とに配置さる。そして、配線１６１は、一端をスピーカユニット１３０に接続され、他端をコネクタ１６２に接続される。コネクタ１６２は、スピーカユニット１３０への入力信号の入力端子であって、図２の（ｂ）に示すように、棚板本体部１１０の背面（ｙ軸正の方向に位置した面）及び側面（ｘ軸方向に位置した面）に配置される。そして、コネクタ１６２のそれぞれは、配線１６１を介してスピーカユニット１３０に接続される。尚、このコネクタ１６２の位置は、適宜変更されてもよい。
【００４９】
ネットグリル１５０は、棚板本体部１１０の前面（ｙ軸負の方向の面）に配置され、スピーカユニット１３０を保護するとともに、スピーカユニット１３０等が外部に露出して視認されることを防止する。このようにネットグリル１５０を配置することにより、スピーカユニット１３０等が外部に露出せず、屋内の雰囲気に影響を及ぼすことを防ぐことができる。
【００５０】
（振動防止手段について）
ここで、本実施形態に係る振動防止手段について説明する。
図３には、この振動防止手段の一例として、振動吸収材１３３を示す。振動吸収材１３３は、収容部１２０Ａの内部においてスピーカユニット１３０と棚板本体部１１０との間に配置される。
【００５１】
そして、振動吸収材１３３は、スピーカユニット１３０と棚板本体部１１０とが直接接触しないように、スピーカユニット１３０を支持する。更に振動吸収材１３３は、スピーカユニット１３０の振動を吸収して、この振動を棚板本体部１１０に伝達するのを防止する。従って、振動吸収材１３３を間に介在させることにより、棚板スピーカシステム１００自体が振動してしまうことを防止することができる。
【００５２】
また、振動吸収材１３３は、例えば、ソルボン繊維、発泡ウレタン、グラスウール、ロックウール等の弾力性を有して振動や衝撃を吸収することにより伝達させないような材質で形成される。
【００５３】
更に、図５を参照して、本実施形態に係る振動防止手段の他の例について説明する。図５は、本実施形態に係る棚板スピーカシステム１００が有する振動防止手段の他の例を説明する断面図である。
【００５４】
図３には、この振動防止手段の一例として、スパイク１３４を示す。このスパイク１３４は、本実施形態の支持部材の一例であって、収容部１２０Ａの内部においてスピーカユニット１３０と棚板本体部１１０との間に配置される。そして、スパイク１３４は、スピーカユニット１３０と棚板本体部１１０とが直接接触しないように、スピーカユニット１３０を支持する。
【００５５】
スパイク１３４は、略円錐形状を有し、円錐の底面（円形の面）においてスピーカユニット１３０と接続され、円錐の頂点部において棚板本体部１１０と接触する。よって、スパイク１３４は、スピーカユニット１３０の質量を底面で受けて、この質量を頂点部により棚板本体部１１０に伝達することにより、スピーカユニット１３０を支持する。スパイク１３４は、このように棚板本体部に対する接触面積を少なくして、スピーカユニット１３０の質量をほぼ点状に集中することにより、スピーカユニット１３０の振動を伝達し難くすることができる。
【００５６】
（本実施形態による効果）
以上、本実施形態に係る棚板スピーカシステム１００について説明した。
棚板スピーカシステム１００によれば、棚板状のスピーカシステムを実現することによって、棚板スピーカシステム１００が配置される位置を他の棚板１１等と変更することにより、ユーザが望む位置に配置することができる。また、棚１０の一部として配置可能であるため、棚１０を移動させるによって、棚板スピーカシステム１００を移動させることも可能である。更に、棚１０の一部として融合しおり、ユーザによって視認し難いため、屋内全体の雰囲気を害することなく、ユーザによる屋内全体の雰囲気のコーディネイトの自由度を高めることが可能である。従って、ユーザのレイアウトフリーの要求に応えることができる。
【００５７】
更に、振動防止手段を有するため、スピーカユニット１３０からの振動が棚板スピーカシステム１００に伝達することを防ぐことができるので、棚板スピーカシステム１００上に載置された物が振動によって異音を発して、スピーカユニット１３０から発せられる音の音質が低下することを防止することができる。従って、棚板スピーカシステム１００上に物を載置することが可能であるので、ユーザによる屋内全体の雰囲気のコーディネイトの自由度を更に高めることができる。従って、ユーザのレイアウトフリーの要求に応えることができる。
【００５８】
（第１の変更例）
更に、図６を参照して、上記第１実施形態に係る棚板スピーカシステム１００の第１の変更例について説明する。図６は、本実施形態に係る棚板スピーカシステム１００の第１の変更例の構造を説明する断面図である。
【００５９】
棚板スピーカシステム１００の第１の変更例は、上記第１実施形態に係る棚板スピーカシステム１００が有する構成に加えて、更に、収容部１２０Ｂと、収容部１２０Ｂに収容されるウーハ（低音領域用スピーカ）１７０を有する。この収容部１２０Ｂ及びウーハ１７０等の以外の構成は、上記で説明した通りであるため、説明を省略する。
【００６０】
収容部１２０Ｂは、後方（ｙ軸正の方向）において棚板本体部１１０の中板１１０Ｂに形成された所定の空間と、この空間に対応して底板１１０Ｃに形成された開口部と、によって形成され、ウーハ１７０を収容する。この際、収容部１２０Ｂは、５方向を棚板本体部１１０に覆われ、ｚ軸負の方向（下面の方向）に開放されており、外部と連通している。換言すれば、収容部１２０Ｂは、上方（ｚ軸正の方向）を天板１１０Ａに覆われ、左右前後方向（ｘ軸、ｙ軸の方向）の４方を中板１１０Ｂ及び底板１１０Ｃに覆われる。従って、収容したウーハ１７０の音を下面方向に伝達することができる。
【００６１】
ウーハ１７０は、収容部１２０Ｂの内部に配置される。換言すれば、ウーハ１７０は、棚板スピーカシステム１００の背面方向（ｙ軸正の方向）に置いて、下面方向（ｚ軸負の方向）に向けて配置される。このように、ウーハ１７０を背面方向に配置することにより、スピーカユニット１３０によって、棚板スピーカシステム１００の重心位置が前方（ｙ軸負の方向）に偏ることを防ぐことができる。また、ウーハ１７０を下面方向に向けて配置することにより、面積の大きいウーハ１７０のコーン部を視認し難い位置に配置することができる。
【００６２】
また、ウーハ１７０は、スピーカユニット１３０と同様に振動防止手段によって、棚板本体部１１０と連結されて支持されてもよく、上記第１の変更例のように、スパイク１３４により支持されてもよい。この振動防止手段の構成、及びそれらによる作用・効果等は上述したので、ここでは省略する。
【００６３】
このように、ウーハ１７０を有する棚板スピーカシステム１００の第１の変更例によれば、上記第１実施形態に係る棚板スピーカシステム１００が奏する効果に加えて、更に音質を高めることができる。
【００６４】
（第２の変更例）
そして、図７を参照して、上記第１実施形態に係る棚板スピーカシステム１００の第２の変更例について説明する。図７は、本実施形態に係る棚板スピーカシステム１００の第２の変更例の構造を説明する断面図である。
【００６５】
棚板スピーカシステム１００の第２の変更例は、上記第１実施形態に係る棚板スピーカシステム１００の第１の変更例が有するウーハ１７０に代えて、又はウーハ１７０とともにアンプ１８０を有する。このアンプ１８０以外の構成は、上記で説明した通りであるため、説明を省略する。
【００６６】
アンプ１８０は、図７に示すように、収容部１２０Ｂに配置されるので、アンプ１８０の操作部等は、棚板本体部１１０の下面方向（ｚ軸負の方向）に配置される。そして、アンプ１８０は、所定の配線等を介してスピーカユニット１３０に接続され、スピーカユニット１３０へ駆動信号を供給する。
【００６７】
このように、アンプ１８０を背面方向に位置する収容部１２０Ｂに配置することにより、スピーカユニット１３０によって、棚板スピーカシステム１００の重心位置が前方（ｙ軸負の方向）に偏ることを防ぐことができる。また、アンプ１８０を下面方向に向けて配置することにより、アンプ１８０の操作部を視認し難い位置に配置することができる。
【００６８】
このアンプ１８０の例を、図８を参照して説明する。
図８は、本実施形態に係る棚板スピーカシステム１００の第２の変更例が有するアンプ１８０の一例を説明するための説明図である。
【００６９】
図８に示すように、アンプ１８０は、ＣＰＵ１８０１と、電源部１８０２と、操作部１８０３と、音声入力部１８０４と、無線音声信号受信部１８０５と、音声信号復調部１８０６と、Ｄ／Ａ変換部１８０７と、音声増幅部１８０８と、音声出力部１８０９と、を有する。また、アンプ１８０は、下記の動作等のため、また、音声信号を一時記憶するために、図示しない記憶部を備えてもよい。
【００７０】
ＣＰＵ１８０１は、アンプ１８０の全体の動作を制御し、電源部１８０２は、アンプ１８０の各構成に電源を供給する。音声入力部１８０４は、直接接続されたオーディオ機器等から、又は、コネクタ１６２を介して接続されたオーディオ機器等から入力信号をうけて出力し、この音声信号がデジタル信号であった場合、Ｄ／Ａ（デジタル／アナログ）変換部１８０７により、アナログ信号に変換する。変換された信号は、音声増幅部１８０８によって増幅されて、音声出力部１８０９からスピーカユニット１３０や、上述のウーハ１７０等に出力される。
【００７１】
また、アンプ１８０は、無線音声信号受信部１８０５及び音声信号復調部１８０６等の無線通信手段を有する。つまり、無線音声信号受信部１８０５が、オーディオ機器から発せられたＢｌｕｅｔｏｏｔｈ（登録商標）やＨｏｍｅＲＦ等の無線通信技術による無線音声信号を受信して、音声信号復調部１８０６が、この受信した無線音声信号を復調する。そして、復調された音声信号は、音声増幅部１８０８によって増幅されて、音声出力部１８０９からスピーカユニット１３０や、ウーハ１７０等に出力される。
【００７２】
このようなアンプ１８０を有する棚板スピーカシステム１００の第２の変更例によれば、アンプ１８０をも棚板として配置することができるため、更に配置場所を節約することができる。また、アンプ１８０を備えることにより、音質を更に向上させることができる。
【００７３】
また、アンプ１８０は、無線通信手段を有するので、例えば、Ｂｌｕｅｔｏｏｔｈ（登録商標）やＨｏｍｅＲＦ等の無線通信技術を介して再生した音声等を発信することができる小型のオーディオ機器を、棚板スピーカシステム１００に載置するだけで、音声を再生することができる。よって、配線等が露出して屋内全体の雰囲気を害することを防ぐことができる。また、棚板スピーカシステム１００自信が目立たない外観を有するため、初めて音声を聴く者等を喫驚させることができる。
【００７４】
（第２実施形態）
以上、本発明の第１実施形態に係る棚板スピーカシステム１００について説明した。尚、第１実施形態では、棚板スピーカシステム１００の棚板本体部１１０が、例えば大理石等の十分な強度を有する材質で形成される場合について説明したが、本発明はかかる例に限定されず、例えば、薄い木材等の強度が弱い材質で形成したとしても適用しうる。
【００７５】
つまり、棚板本体部を強度の弱い材質によって構成した場合は、載置可能な物の耐荷重性が低下してしまうが、以下で説明する本発明の第２実施形態に係る棚板スピーカシステム２００は、強度補強部材等を有することにより、耐荷重性を高めることができる。
【００７６】
そこで、図９，１０を参照して、本発明の第２実施形態に係る棚板スピーカシステム２００について説明する。図９は、本実施形態に係る棚板スピーカシステム２００の構造を説明する説明図である。図９の（ａ）は、棚板スピーカシステム２００の正面から見た（ｙ軸方向から見た）正面図であり、（ｂ）は、（ａ）のＣ−Ｃ線での断面図であり、（ｃ）は、棚板スピーカシステム２００を側面から見た（ｘ軸方向から見た）側面図である。そして、図１０は、本実施形態に係る棚板スピーカシステム２００の構造を説明する断面図であり、図９の（ｂ）のＤ−Ｄ線による断面図である。
【００７７】
尚、本実施形態に係る棚板スピーカシステム２００は、上記の第１実施形態に係る棚板スピーカシステム１００の配線スペース１４０に代えて、配線スペース１４０よりも大きな配線スペース２４０が形成される。そして、棚板スピーカシステム２００は、第１実施形態に係る棚板スピーカシステム１００が有する他の構成に加えて、本実施形態に係る補強部材の一例として複数の梁２２０と、パイプ２３０とを有する。以下では、棚板スピーカシステム１００との相違点を中心に説明し、同様な構成についての説明は省略する。
【００７８】
図９の（ａ）、（ｃ）に示すように、棚板スピーカシステム２００の外見は、第１実施形態に係る棚板スピーカシステム１００と同様である。しかし、（ｂ）に示すように、棚板本体部２１０には、第１実施形態に係る配線スペース１４０に比べて大きな配線スペース２４０が形成される。そして、この配線スペース１４０には、複数の梁２２０とパイプ２３０とが配置される。
【００７９】
梁２２０は、棚板本体部１１０の強度を補強する補強部材の一例であって、棚板本体部１１０の前後方向（ｙ軸の方向）に延長形成され、図１０に示すように前方及び後方を中板１１０Ｂに接続される。そして梁２２０は、天板１１０Ａ又は底板１１０Ｃに接続される。この梁２２０は、棚板本体部１１０の耐荷重性等の強度を高めることができる。
【００８０】
パイプ２３０は、棚板本体部１１０の強度を補強する補強部材の一例であって、棚板本体部１１０の左右方向（ｘ軸の方向）に延長形成され、両端を中板１１０Ｂに接続される。また、パイプ２３０は、例えば、上下に配置された梁２２０と接触して配置されてもよい。このパイプ２３０も、棚板本体部１１０の耐荷重性等の強度を高めることができる。
【００８１】
このような構造を有する棚板スピーカシステム２００によれば、上記第１実施形態に係る棚板スピーカシステム１００が奏することができる効果に加えて、配線スペース２４０を大きくすることにより、棚板スピーカシステム２００の質量を低減することができるので、容易に移動させることができる。よって、棚板スピーカシステム２００の配置変更が容易となり、更にユーザのレイアウトフリーな要求に応えることができる。
【００８２】
そして、梁２２０及びパイプ２３０により、棚板スピーカシステム２００の耐荷重性等の強度を高めることができるので、棚板スピーカシステム２００上に様々な物を載置することが可能となり、更にユーザのレイアウトフリーな要求に応えることができる。また、梁２２０及びパイプ２３０によって棚板スピーカシステム２００がたわむことを防ぐことができ、かつ、各部材の結合力を強化することができるため、振動防止手段との相乗効果により棚板スピーカシステム２００の振動をより効果的に防止することができる。また、梁２２０及びパイプ２３０を上記のように配置することにより、補強をしつつ配線１６１の配置経路を確保することができる。
【００８３】
（第３実施形態）
以上、本発明の第２実施形態に係る棚板スピーカシステム２００について説明した。上記第１実施形態及び第２実施形態に係る棚板スピーカシステム２００によれば、棚板本体部１１０を構成する部材の点数が多くなる。そこで、図１１を参照して、この構成部品の点数を少なくした本発明の第３実施形態に係る棚板スピーカシステム３００について説明する。図１１は、本実施形態に係る棚板スピーカシステム３００の構造を説明する断面図である。
【００８４】
尚、本実施形態に係る棚板スピーカシステム３００は、上記の第１実施形態に係る棚板スピーカシステム１００の棚板本体部１１０に代えて、棚板本体部３１０を有する。他の構成は第１実施形態と同様であるため、これら同様である点に関する説明は省略する。
【００８５】
棚板本体部３１０は、第１実施形態に係る棚板本体部１１０と同様の形状で形成される。しかし、棚板本体部３１０は、第１板部３１０Ａと、第２板部３１０Ｂとを有し、第１板部３１０Ａと第２板部３１０Ｂとを接合することにより形成される。
【００８６】
また、第１板部３１０Ａは、下面（ｚ軸負の方向の面）の前方（ｙ軸負の方向）に、第１凹部３２１を有し、下面中央部に第１配線凹部を有する。そして、第２板部３１０Ｂは、上面（ｚ軸正の方向の面）の前方（ｙ軸負の方向）に、第２凹部３２２を有し、上面中央部に第２配線凹部を有する。この第１板部３１０Ａと第２板部３１０Ｂとが接合されることにより、第１凹部３２１と第２凹部３２２とが結合して収容部１２０Ａを形成し、第１配線凹部３４０Ａと第２配線凹部３４０Ｂとが結合して配線スペース１４０を形成する。
【００８７】
このような構造で形成される棚板スピーカシステム３００によれば、上記第１実施形態に係る棚板スピーカシステム１００が奏することができる効果に加えて、棚板本体部３１０を構成する部品点数を減らすことができるため、スピーカユニット１３０の振動により、共振することを防ぐことができるとともに、振動が伝達された場合に棚板スピーカシステム３００自体が振動することを防ぐことができる。更に部品点数を減らすことにより、容易に製作することが可能となる。
【００８８】
（適用例）
以上、本発明の各実施形態に係る棚板スピーカシステム１００，２００，３００について説明した。上記のような棚板スピーカシステム１００，２００，３００は、図１に示した棚１０だけでなく、様々な適用方法が考えられる。そこで、以下で、図１２〜１３を参照して、棚板スピーカシステム１００，２００，３００を適用した他の例について説明する。ただし、以下では、第１実施形態に係る棚板スピーカシステム１００を例に説明するが、第２，３実施形態に係る棚板スピーカシステム２００，３００も同様に適用可能であることは言うまでもない。
【００８９】
（第１の例）
図１２は、棚板スピーカシステム１００を適用した第１の例を説明する説明図である。
図１２に示すように、棚板スピーカシステム１００は、本棚２０の１つの棚板としても使用可能である。
【００９０】
つまり、本棚２０は、例えば、垂直に配置された複数の支持板２２と、支持板２２に支持されて水平に配置される本棚用棚板２１とによって構成されるが、この本棚用棚板２１の１つを棚板スピーカシステム１００を使用することができる。この棚板スピーカシステム１００は、上記で説明したように、テレビ等よりも比較的軽い物を載置することができるため、例えば、本２３やＣＤ２４等を載置することも可能である。
【００９１】
（第２の例）
図１３は、棚板スピーカシステム１００を適用した第２の例を説明する説明図である。
図１３に示すように、棚板スピーカシステム１００は、机３０の机用棚板（天板）としても使用可能である。
【００９２】
つまり、机３０は、例えば、垂直に配置された複数の支持脚３２と、支持脚３２によって支持されて水平に配置される机用棚板３１とによって構成されるが、この机用棚板３１の代わりに棚板スピーカシステム１００を使用することができる。この棚板スピーカシステム１００は、上記で説明したように、テレビ等よりも比較的軽い物を載置することができるため、例えば、コンピュータ３３、照明器具３４、小物入れ３５等を載置するも可能である。
【００９３】
（第３の例）
図１４は、棚板スピーカシステム１００を適用した第３の例を説明する説明図である。
図１４に示すように、棚板スピーカシステム１００は、ラック４０の棚板としても使用可能である。
【００９４】
つまり、ラック４０は、例えば、床等に配置されるラック底板４１と、ラック底板４１の端部から垂直に延長形成されたラック背面板４２と、ラック背面板４２の上端からラック底板４１と対向して水平に配置された棚板とによって形成されるが、この棚板の代わりに棚板スピーカシステム１００を使用することができる。この棚板スピーカシステム１００は、上記で説明したように、テレビ等よりも比較的軽い物を載置することができるため、例えば、図１４の（Ａ）に示すように、花瓶４４、コップ４３等を載置することも可能であり、（Ｂ）に示すようにテレビ４５を載置することも可能である。
【００９５】
以上、本願発明の各実施形態に係る棚板スピーカシステム１００，２００，３００の適用例について説明した。上記のように本発明の各実施形態に係る棚板スピーカシステム１００，２００，３００は、様々なレイアウトで使用することが可能であり、更に、上部に様々な物を載置することも可能である。そして、屋内全体の雰囲気と調和して配置することが可能であるため、ユーザのレイアウトフリーな要求に的確に応じることが可能である。このようなレイアウトの他の例として、例えば、所定の台上に載置して使用することも可能であり、吊り下げ用の器具等により吊り下げて使用することも可能である。また、壁等に直接据え付けることも可能であり、更には、垂直に配置してパーティション等として使用することも可能である。ただし、ここで挙げた適用例はあくまで一例であって、本発明がかかる例に限定されないことは言うまでもない。
【００９６】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００９７】
例えば、上記実施形態では、棚板スピーカシステム１００，２００，３００は、略長方形の平面形状を有するとしたが、本発明はかかる例に限定されず、略正方形、略三角形、略円形等の様々な平面形状を有する板状に形成可能である。
【００９８】
また、上記実施形態では、ネットグリル１５０が前面に配置されるとしたが、本発明はかかる例に限定されず、ネットグリル１５０を備えなくてもよい。
【００９９】
また、棚板スピーカシステム１００，２００，３００の上面等に、皮、プラスチックシート、紙等の装飾用シートが貼られてもよい。このように、表面をユーザの望む装飾用シートで覆うことにより更にユーザのレイアウトフリーな要求に応えることができる。
【０１００】
また、上記第１実施形態では、ウーハ１７０がスピーカユニット１３０と別途配置されるとしたが、本発明はかかる例に限定されず、ウーハ１７０が内蔵されたスピーカユニット１３０を使用してもよい。又、ウーハ１７０は、別体でスピーカユニット１３０と並列に収容部１２０Ａに配置されてもよい。
【０１０１】
また、上記実施形態では、振動防止手段は、例えば、振動吸収材１３３、スパイク１３４であるとしたが、本発明はかかる例に限定されず、例えば、スピーカユニット１３０を支持するバネ等で構成されてもよい。
【０１０２】
また、上記実施形態では、補強部材は、例えば、梁２２０、パイプ２３０であるとしたが、本発明はかかる例に限定されず、例えば、アルミやＦＲＰ（Ｆｉｂｅｒ  Ｒｅｉｎｆｏｒｃｅｄ  Ｐｌａｓｔｉｃｓ）等のハニカム構造の補強部材であってもよい。
【０１０３】
更に、上記第１実施形態の第１、第２変更例等は、第２、第３実施形態に適用されてもよい。また、第３実施形態の構成と第２実施形態の構成とを組み合わせることも可能である。更に、第１、第２変更例等を組み合わせることも可能である。
【図面の簡単な説明】
【０１０４】
【図１】本発明の第１実施形態に係る棚板スピーカシステムの概要を説明する説明図である。
【図２】同実施形態に係る棚板スピーカシステムの構造を説明する説明図である。
【図３】同実施形態に係る棚板スピーカシステムの構造を説明する断面図である。
【図４】棚板スピーカシステムが有するスピーカユニットの一例を説明する説明図である。
【図５】同実施形態に係る棚板スピーカシステムが有する振動防止手段の他の例を説明する断面図である。
【図６】同実施形態に係る棚板スピーカシステムの第１の変更例の構造を説明する断面図である。
【図７】同実施形態に係る棚板スピーカシステムの第２の変更例の構造を説明する断面図である。
【図８】同実施形態に係る棚板スピーカシステムの第２の変更例が有するアンプの一例を説明するための説明図である。
【図９】本発明の第２実施形態に係る棚板スピーカシステムの構造を説明する説明図である。
【図１０】同実施形態に係る棚板スピーカシステムの構造を説明する断面図である。
【図１１】本発明の第３実施形態に係る棚板スピーカシステムの構造を説明する断面図である。
【図１２】棚板スピーカシステムを適用した第１の例を説明する説明図である。
【図１３】棚板スピーカシステムを適用した第２の例を説明する説明図である。
【図１４】棚板スピーカシステムを適用した第３の例を説明する説明図である。
【符号の説明】
【０１０５】
１０      棚
１１      棚板
１２      柱
２０      本棚
２１      本棚用棚板
２２      支持板
３１      机用棚板
３２      支持脚
４０      ラック
４１      ラック底板
４２      ラック背面板
１００      棚板スピーカシステム
１１０      棚板本体部
１１０Ａ    天板
１１０Ｂ    中板
１１０Ｃ    底板
１２０Ａ    収容部
１２０Ｂ    収容部
１３０      スピーカユニット
１３１      スピーカ
１３２      ツイータ
１３３      振動吸収材
１３４      スパイク
１４０      配線スペース
１５０      ネットグリル
１６１      配線
１６２      コネクタ
１７０      ウーハ
１８０      アンプ
２００      棚板スピーカシステム
２１０      棚板本体部
２２０      梁
２３０      パイプ
２４０      配線スペース
３００      棚板スピーカシステム
３１０      棚板本体部
３１０Ａ    第１板部
３１０Ｂ    第２板部
３２１      第１凹部
３２２      第２凹部
３４０Ａ    第１配線凹部
３４０Ｂ    第２配線凹部
１８０１    ＣＰＵ
１８０２    電源部
１８０３    操作部
１８０４    音声入力部
１８０５    無線音声信号受信部
１８０６    音声信号復調部
１８０７    Ｄ／Ａ変換部
１８０８    音声増幅部
１８０９    音声出力部
【図１】
2008263558.tif 000003
【図２】
2008263558.tif 000004
【図３】
2008263558.tif 000005
【図４】
2008263558.tif 000006
【図５】
2008263558.tif 000007
【図６】
2008263558.tif 000008
【図７】
2008263558.tif 000009
【図８】
2008263558.tif 000010
【図９】
2008263558.tif 000011
【図１０】
2008263558.tif 000012
【図１１】
2008263558.tif 000013
【図１２】
2008263558.tif 000014
【図１３】
2008263558.tif 000015
【図１４】
2008263558.tif 000016